(57)【要約】【課題】  水流の影響を受けることなく、設定時間内に一定量のコマセをコマセ容器から確実に放出し得るようにする。【解決手段】  コマセ容器は、コマセを放出する開口孔１８が形成された容器本体１０を有し、容器本体１０内には、コマセ収容位置Ｂとコマセ放出完了位置Ａとの間で往復動自在に往復動部材２１が装着されており、往復動部材２１を駆動手段によってコマセ収容位置Ｂからコマセ放出完了位置Ａに所定の時間で移動させると、コマセ収容室２０内のコマセは設定された一定の時間で水中に放出される。【選択図】      図３
2006333754.tif 000002
【特許請求の範囲】
【請求項１】
コマセを放出する開口孔が形成された容器本体と、
前記容器本体とにより前記開口孔に連通するコマセ収容室を形成し、コマセ収容位置とコマセ放出完了位置との間で往復動自在に前記容器本体に装着される往復動部材と、
前記往復動部材を前記コマセ収容位置からコマセ放出完了位置に所定の時間で駆動する駆動手段とを有することを特徴とするコマセ容器。
【請求項２】
請求項１記載のコマセ容器において、前記容器本体を円筒部と当該円筒部の軸方向両端に連なる端板部とにより形成し、前記容器本体内に前記開口孔に臨ませて仕切り壁を取り付け、前記往復動部材を前記仕切り壁の開口孔側面に対向するコマセ放出完了位置と、前記仕切り壁の反対側面に対向するコマセ収容位置との間で揺動往復動自在に、前記容器本体の中心部に回転自在に設けられた回転軸に取り付けることを特徴とするコマセ容器。
【請求項３】
請求項１記載のコマセ容器において、前記容器本体を一端部に前記開口孔が形成された筒体により形成し、前記往復動部材を前記開口孔に最接近するコマセ放出完了位置と前記開口孔から最も離れたコマセ収容位置との間で直線方向に往復動自在に前記筒体内に装着することを特徴とするコマセ容器。
【請求項４】
請求項１〜３のいずれか１項に記載のコマセ容器において、前記容器本体に前記開口孔を開閉する開閉蓋を設けることを特徴とするコマセ容器。
【請求項５】
請求項４記載のコマセ容器において、釣り仕掛けを投入後所定の水深に到達したときに釣り竿を揺らして前記容器本体に加えられる振動により前記開閉蓋を開放することを特徴とするコマセ容器。
【請求項６】
請求項１〜５のいずれか１項に記載のコマセ容器において、前記駆動手段をばね部材とすることを特徴とするコマセ容器。
【請求項７】
請求項１〜５のいずれか１項に記載のコマセ容器において、前記駆動手段を前記容器本体内に装着されたバッテリにより駆動される電動モータとすることを特徴とするコマセ容器。
【請求項８】
請求項３記載のコマセ容器において、前記筒体の内周面に摺動して往復動するとともに前記筒体の他端部との間に加圧室を区画するピストンにより前記往復動部材を形成し、前記加圧室に加圧水を供給する水中ポンプを前記駆動手段とすることを特徴とするコマセ容器。
【請求項９】
請求項３記載のコマセ容器において、前記筒体内の前記往復動部材に、前記筒体に装着されたリンク機構を連結し、前記往復動部材を前記コマセ収容位置から前記コマセ放出完了位置に向けて移動させるときにばね力を加えるばね部材と、移動速度を規制する速度規制部材とを前記リンク機構に装着することを特徴とするコマセ容器。
【発明の詳細な説明】
【技術分野】
【０００１】
本発明は、魚肉ミンチやオキアミ等の魚釣り用のコマセを収容するためのコマセ容器に関する。
【背景技術】
【０００２】
魚釣り用のコマセ容器は、魚を引き寄せるための寄せ餌つまりコマセを収容するための容器であり、コマセ籠とも言われ、釣り糸に取り付けられて使用される。コマセ容器内に収容された魚肉等のコマセは、水底の水流変化や竿の上げ下げによる急激な水流変化により開口孔から自然に水中に飛散し、魚はコマセに集魚されることになる。釣り人は、コマセ容器からのコマセの水中への飛散状態を通常では確認できないため、感と経験によって開口孔の寸法調整等を行い、コマセ容器が空になるまでの時間を想定して、コマセ容器を含めて釣り仕掛けの投入と巻き上げとを行っている。
【０００３】
コマセ容器には開口孔を開閉するための放出蓋が設けられたものがあり、特許文献１には、コマセ容器を水中に投入してから所定の時間が経過した後に開閉蓋を開放するようにしたコマセ容器が記載されている。
【特許文献１】実開平３−７４２７８号公報
【発明の開示】
【発明が解決しようとする課題】
【０００４】
コマセ容器を水中に投入してから所定時間経過後に開閉蓋を強制的に開放するようにすると、コマセ容器が水底に到達するまでにコマセが開口孔から飛散することを防止できるが、コマセが水中に飛散する時間は水流の速度等によって相違するので、釣り人は、従来と同様にコマセ容器が空になるまでの時間を想定して、コマセ容器を含めて釣り仕掛けの投入と巻き上げとを行う必要がある。このため、釣り経験の少ない初心者は仕掛けの投入と巻き上げとに無駄な時間を浪費することになり、釣果を期待できない。
【０００５】
本発明の目的は、水流の影響を受けることなく、設定時間内に一定量のコマセをコマセ容器から確実に放出し得るようにすることにある。
【課題を解決するための手段】
【０００６】
本発明のコマセ容器は、コマセを放出する開口孔が形成された容器本体と、前記容器本体とにより前記開口孔に連通するコマセ収容室を形成し、コマセ収容位置とコマセ放出完了位置との間で往復動自在に前記容器本体に装着される往復動部材と、前記往復動部材を前記コマセ収容位置からコマセ放出完了位置に所定の時間で駆動する駆動手段とを有することを特徴とする。
【０００７】
本発明のコマセ容器は、前記容器本体を円筒部と当該円筒部の軸方向両端に連なる端板部とにより形成し、前記容器本体内に前記開口孔に臨ませて仕切り壁を取り付け、前記往復動部材を前記仕切り壁の開口孔側面に対向するコマセ放出完了位置と、前記仕切り壁の反対側面に対向するコマセ収容位置との間で揺動往復動自在に、前記容器本体の中心部に回転自在に設けられた回転軸に取り付けることを特徴とする。
【０００８】
本発明のコマセ容器は、前記容器本体を一端部に前記開口孔が形成された筒体により形成し、前記往復動部材を前記開口孔に最接近するコマセ放出完了位置と前記開口孔から最も離れたコマセ収容位置との間で直線方向に往復動自在に前記筒体内に装着することを特徴とする。
【０００９】
本発明のコマセ容器は、前記容器本体に前記開口孔を開閉する開閉蓋を設けることを特徴とする。
【００１０】
本発明のコマセ容器は、釣り仕掛けを投入後所定の水深に到達したときに釣り竿を揺らして前記容器本体に加えられる振動により前記開閉蓋を開放することを特徴とする。
【００１１】
本発明のコマセ容器は、前記駆動手段をばね部材とすることを特徴とする。
【００１２】
本発明のコマセ容器は、前記駆動手段を前記容器本体内に装着されたバッテリにより駆動される電動モータとすることを特徴とする。
【００１３】
本発明のコマセ容器は、前記筒体の内周面に摺動して往復動するとともに前記筒体の他端部との間に加圧室を区画するピストンにより前記往復動部材を形成し、前記加圧室に加圧水を供給する水中ポンプを前記駆動手段とすることを特徴とする。
【００１４】
本発明のコマセ容器は、前記筒体内の前記往復動部材に、前記筒体に装着されたリンク機構を連結し、前記往復動部材を前記コマセ収容位置から前記コマセ放出完了位置に向けて移動させるときにばね力を加えるばね部材と、移動速度を規制する速度規制部材とを前記リンク機構に装着することを特徴とする。
【発明の効果】
【００１５】
本発明によれば、コマセを収容する容器本体内にはコマセ収容室を形成する往復動部材が設けられており、コマセ収容室に供給されたコマセは、往復動部材を所定の時間でコマセ放出完了位置まで移動させることにより一定の放出量で水中に放出される。これにより、釣り人の仕掛け投入と巻き上げ時間の無駄がなくなり、初心者でも熟練者と同様の釣果が期待できる。
【００１６】
容器本体の形状としては、円筒部とこれの両端に連なる端板部とからなる円形とすることもでき、円筒形状等の筒状とすることもできる。往復動部材をコマセ収容位置からコマセ放出位置まで駆動するための駆動手段としては、ばね部材、電動モータ、およびモータ駆動の水中ポンプとすることができる。
【発明を実施するための最良の形態】
【００１７】
以下、本発明の実施の形態を図面に基づいて詳細に説明する。図１は本発明の一実施の形態であるコマセ容器の正面図であり、図２は図１における２−２線に沿う断面図であり、図３は図２における３−３線に沿う断面図である。
【００１８】
図１には釣り糸１の先端に設けられた仕掛けが示されており、釣り糸１の先端にはてんびん２を介して釣り針３が取り付けられる。コマセ容器は釣り糸１に取り付けられ、魚を引き寄せるためのコマセを収容するために使用され、コマセ容器の下端にはおもり４が取り付けられる。釣り人は釣り竿を操作して水中にコマセ容器を含めた図１に示す釣り仕掛けを投入して魚釣りを行う。コマセ容器の容器本体１０は、図２に示すように、中心部にフラット部１１ａが形成され外周部に湾曲部１１ｂが形成された第１板材１１と、中心部にフラット部１２ａが形成され外周部に湾曲部１２ｂが形成された第２板材１２とを突き合わせて接合することにより構成されており、図１および図３に示されるように外周面がほぼ円形となった円筒部１３と、この円筒部１３の軸方向両端部に連なる端板部１４，１５とを有している。これにより、容器本体１０の内部には図３に示すようにほぼ円形の空間が形成される。
【００１９】
図２に示すように容器本体１０の中心部には回転軸１６が回転自在に装着されており、この回転軸１６の一端部は第１板材１１に固定された支持ピン１７により支持されている。容器本体１０の円筒部１３には、図３に示すように容器本体１０内にコマセを投入するとともに投入されたコマセを放出するための開口孔１８が形成されており、この開口孔１８に臨むように開口孔１８の円周方向端部から回転軸１６に向けて径方向に延び、容器本体１０の内部を仕切る仕切り壁１９が取り付けられている。
【００２０】
回転軸１６には容器本体１０の内周面に対応した形状の板材からなる往復動部材２１が取り付けられている。この往復動部材２１は、容器本体１０とにより開口孔１８に連通するコマセ収容室２０を形成し、図３において二点鎖線Ａで示すように仕切り壁１９の開口孔側面に対向するコマセ放出完了位置と、二点鎖線Ｂで示すように仕切り壁１９の反対側面に対向するコマセ収容位置との間を揺動往復動する。揺動角度θは図３に示す場合には、約３４０度となっている。したがって、往復動部材２１をコマセ収容位置Ｂに移動させた状態のもとでコマセ収容室２０内にコマセを開口孔１８から投入した後、往復動部材２１をコマセ放出完了位置Ａに移動させると、開口孔１８からほぼ一定の放出量でコマセが外部に放出される。
【００２１】
容器本体１０には図２に示すように駆動ユニット２２が設けられ、この駆動ユニット２２内にはばね部材としてのゼンマイばねが組み込まれており、駆動ユニット２２に設けられた巻き上げハンドル２３を回転させると、ゼンマイばねが巻き上げられるとともに往復動部材２１はコマセ放出完了位置Ａからコマセ収容位置Ｂに駆動されるようになっている。巻き上げハンドル２３を数回転させると、ゼンマイばねが巻き上げられるとともに往復動部材２１はコマセ収容位置Ｂに駆動される。巻き上げハンドル２３の巻き上げ終了後に巻き上げハンドル２３から手を離すと、往復動部材２１は駆動手段としてのゼンマイばねによりコマセ放出完了位置Ａに向けて駆動される。このときの駆動速度は、ゼンマイばねの巻き戻り速度を調整することにより、所定の時間で往復動部材２１は駆動されることになる。
【００２２】
したがって、コマセ容器からは所定の時間、例えば５分ないし１０分の間で、水流の影響を受けることなく、一定の放出量でコマセが水中に放出され、釣り人の仕掛け投入および巻き上げ時間の無駄がなくなり、経験の少ない初心者でも熟練者と同様の釣果が期待できる。
【００２３】
図３に示すように、容器本体１０には開口孔１８を開閉蓋２４がヒンジ２５を中心に開閉自在に設けられており、容器本体１０に固定されたガイド筒２６には開閉蓋２４に係合する係合爪２７が設けられている。ガイド筒２６には、図３に示すように、釣り糸２が取り付けられるフック棒２８が軸方向に摺動自在に組み込まれ、係合爪２７はフック棒２８に取り付けられている。ガイド筒２６内にはフック棒２８にばね力を加えるコイルばね２９が組み込まれており、このばね力により係合爪２７は開閉蓋２４に対して締め付け力を加えることになる。これにより、釣り仕掛け投入によりコマセ容器が設定深さまで到達した時点で釣り竿を大きく揺らしてコマセ容器に振動を加えると、フック棒２８が図３において上方に引っ張られて係合爪２７は開閉蓋２４から離れて開閉蓋２４は図３に示すように閉じた状態から開放状態になる。確実に開閉蓋２４が開放位置まで移動するように、ヒンジ２５には開閉蓋２４に開放方向のばね力を加えるばね部材が組み込まれている。なお、フック棒２８に連動させて、巻き上げハンドル２３を巻き戻し移動停止状態から巻き戻し可能状態にロックを解除するようにしても良い。
【００２４】
容器本体１０にはガイド筒２６に対して１８０度位相をずらして固定フック９が取り付けられており、この固定フック９におもり４が取り付けられるようになっている。したがって、水中においては容器本体１０は開口孔１８が上側を向くようにおもり４により姿勢が設定されることになる。
【００２５】
往復動部材２１がコマセ収容位置Ｂからコマセ放出完了位置Ａにまで駆動される放出時間は駆動ユニット２２によって設定されることになるので、駆動ユニット２２を複数種類用意しておき、魚種により駆動ユニット２２を交換できるようにしても良い。また、駆動ユニット２２に調整つまみを設け、調整つまみの操作によって放出時間を調整するようにしても良い。
【００２６】
図４は本発明の他の実施の形態であるコマセ容器を示す縦断面図であり、図５は図４における５−５線に沿う断面図である。
【００２７】
このコマセ容器の容器本体３０は円筒により形成されており、一端部には開口孔３１が形成された端板３２が設けられ、他端部には仕切り板３３が設けられている。円筒形状の容器本体３０の一端部には、放出口３４が形成されたほぼ円錐形のキャップ３５が取り外し自在に装着されており、容器本体３０内にコマセを投入する際にはキャップ３５を取り外して開口孔３１からコマセが直接投入される。このキャップ３５には釣り糸が取り付けられるフック３６が設けられている。
【００２８】
容器本体３０内には、端板３２と仕切り板３３とにより両端が回転自在に支持されるねじ棒３７が設けられており、このねじ棒３７にねじ結合される往復動部材３８が容器本体３０内に図４において上下方向に移動自在に組み込まれている。この往復動部材３８と容器本体３０とにより開口孔３１に連通するコマセ収容室３９が形成されており、往復動部材３８はねじ棒３７の回転によって、端板３２に最接近するコマセ放出完了位置Ａと、仕切り板３３に最接近するコマセ収容位置Ｂとの間を往復動する。
【００２９】
仕切り板３３にはねじ棒３７を回転駆動するための電動モータ４１が取り付けられ、電動モータ４１を覆うように容器本体３０に取り付けられたバッテリホルダ４２には電動モータ４１に電力を供給するバッテリ４３が取り付けられている。したがって、電動モータ４１を駆動することにより、往復動部材３８はコマセ放出完了位置Ａとコマセ収容位置Ｂとの間で駆動される。このように、バッテリ４３により駆動される電動モータ４１により往復動部材３８を駆動するようにすると、スイッチ操作により往復動部材３８がコマセ収容位置Ｂからコマセ放出完了位置Ａまで移動する時間を任意に設定することができるとともに、往復動部材３８が移動を開始する時間も任意に設定することができる。したがって、釣り仕掛け投入によりコマセ容器が設定深さまで到達する時間に対応する時間が経過した時点で往復動部材３８の移動を開始させることにより、コマセ容器からは所定の深さに到達したときにコマセが放出されることになるとともに、任意の時間にわたりコマセを放出させることができる。
【００３０】
図６は本発明の他の実施の形態であるコマセ容器を示す縦断面図であり、図６に示すコマセ容器の基本形状は図４および図５に示したものと同様であり、図６においては図４に示した部材と共通する部材には同一の符号が付されている。
【００３１】
図６に示すコマセ容器の容器本体３０には図４に示した端板３２とねじ棒３７は設けられておらず、容器本体３０内に設けられた往復動部材３８によって、開口孔３１に連通するコマセ収容室３９と加圧室４４とに区画されている。往復動部材３８には容器本体３０の内周面に摺動接触するシール材４５が装着されてピストンとなっており、加圧室４４内に外部の水を注入すると往復動部材３８はコマセ放出完了位置Ａに駆動され、水を排出すると往復動部材３８はコマセ収容位置Ｂに駆動される。加圧室４４に対して水を注入するために、仕切り板３３には電動モータ４１により駆動される水中ポンプ４６が取り付けられており、加圧室４４には吸い込み口４７から吸い込まれた水が配管４８により供給される。加圧室４４内の水を排出して往復動部材３８を、コマセ放出完了位置Ａからコマセ収容位置Ｂにまで戻すために、容器本体３０には加圧室４４に連通する排出口を開閉操作する開放バルブ４９が取り付けられている。
【００３２】
このコマセ容器においては、電動モータ４１により水中ポンプ４６を駆動することにより、往復動部材３８はコマセ収容位置Ｂからコマセ放出完了位置Ａに向けて所定の時間に駆動される。スイッチ操作により往復動部材３８がコマセ収容位置Ｂからコマセ放出完了位置Ａまで移動する時間を任意に設定することができるとともに、往復動部材３８が移動を開始する時間も任意に設定することができる。なお、往復動部材３８をコマセ収容位置Ｂに戻す際には開放バルブ４９を作動させて加圧室４４内の水を排出するようにしているが、水中ポンプ４６を逆転させて強制的に水を排出するようにしても良い。
【００３３】
図７は本発明の他の実施の形態であるコマセ容器を示す縦断面図であり、図８は図７における８−８線に沿う断面図であり、図９は図７の側面図である。図７に示すコマセ容器の基本形状は図４〜図６に示したものと同様であり、図７〜図９においては図４〜図６に示した部材と共通する部材には同一の符号が付されている。
【００３４】
図７に示すようにコマセ容器の容器本体３０内には開口孔３１に連通するコマセ収容室３９を容器本体３０とにより形成する往復動部材３８が設けられ、往復動部材３８をコマセ放出完了位置Ａとコマセ収容位置Ｂとの間で駆動するために、リンク機構５０が容器本体３０の下端部に取り付けられている。
【００３５】
このリンク機構５０は、容器本体３０の仕切り板３３に固定された支持台５１にピン５２により回動自在に装着される２本の駆動リンク５３ａ，５３ｂを有し、それぞれの駆動リンク５３ａ，５３ｂは往復動部材３８に一端部がピン５４により連結された従動リンク５５ａ，５５ｂの他端部にピン５６ａ，５６ｂにより連結されており、従動リンク５５ａ，５５ｂは、容器本体３０に形成されたスリット３０ａを貫通している。これらの２本の駆動リンク５３ａ，５３ｂと２本の従動リンク５５ａ，５５ｂにより往復動部材３８を直線往復動する平行リンク機構が構成されている。
【００３６】
２本の駆動リンク５３ａ，５３ｂの間にはこれらのリンクを開閉させて往復動部材３８を直線往復動するための引っ張りコイルばね５７が装着され、このコイルばね５７によりリンク機構５０を介して往復動部材３８には、駆動リンク５３ａ，５３ｂを閉じる方向に駆動することによってコマセ収容位置Ｂからコマセ放出完了位置Ａに向かう駆動力が加えられている。したがって、リンク機構５０を手動操作によりコイルばね５７のばね力に抗して駆動リンク５３ａ，５３ｂを広げた状態とすると、往復動部材３８はコマセ収容位置Ｂに移動することになる。
【００３７】
駆動リンク５３ａ，５３ｂの端部間には速度規制部材としてダッシュポット５８が取り付けられており、このダッシュポット５８は一方の駆動リンク５３ａにピン５９ａにより連結される筒体６１と、この筒体６１に対して軸方向に移動自在に組み込まれるとともに他方の駆動リンク５３ｂにピン５９ｂにより連結される連結ロッド６２とを有している。ダッシュポット５８は、コイルばね５７のばね力により駆動リンク５３ａ，５３ｂが閉じる方向に駆動されるとき、つまり連結ロッド６２が引っ込み移動する際には内部に封入された流体により連結ロッド６２の移動速度が遅くなるように設定されており、往復動部材３８がコマセ収容位置Ｂからコマセ放出完了位置Ａに駆動されるときには駆動リンク５３ａ，５３ｂはゆっくりと駆動されてコマセは徐々に水中に放出される。これに対して、コマセ収容室３９内にコマセを供給する際には、往復動部材３８をコマセ放出完了位置Ａからコマセ収容位置Ｂに移動させるために、手動操作により駆動リンク５３ａ，５３ｂをばね力に抗して開くように駆動することになるが、このときには、筒体６１内に組み込まれた逆止弁により弱い力で駆動リンク５３ａ，５３ｂを操作することができる。
【００３８】
本発明は図示する実施の形態に限定されることなく、種々変更することが可能である。例えば、図４〜図９に示すコマセ容器においても、キャップ３５に放出口３４を開閉する開閉蓋を設けるようにしても良い。また、図４〜図９に示す容器本体３０は円筒形状となっているが、断面四角形の筒状部材を用いるようにしても良く、図１に示すように、おもり４を引っ掛けるための固定フック９を容器本体３０に取り付けるようにしても良い。
【図面の簡単な説明】
【００３９】
【図１】本発明の一実施の形態であるコマセ容器の正面図である。
【図２】図１における２−２線に沿う断面図である。
【図３】図２における３−３線に沿う断面図である。
【図４】本発明の他の実施の形態であるコマセ容器を示す縦断面図である。
【図５】図４における５−５線に沿う断面図である。
【図６】本発明の他の実施の形態であるコマセ容器を示す縦断面図である。
【図７】本発明の他の実施の形態であるコマセ容器を示す縦断面図である。
【図８】図７における８−８線に沿う断面図である。
【図９】図７の側面図である。
【符号の説明】
【００４０】
１０    容器本体
１１    第１板材
１２    第２板材
１３    円筒部
１４，１５    端板部
１６    回転軸
１７    支持ピン
１８    開口孔
１９    仕切り壁
２０    コマセ収容室
２１    往復動部材
２２    駆動ユニット
２３    巻き上げハンドル
２４    開閉蓋
２５    ヒンジ
２６    ガイド筒
２７    係合爪
２８    フック棒
２９    コイルばね
３０    容器本体
３１    開口孔
３２    端板
３３    仕切り板
３４    放出口
３５    キャップ
３６    フック
３７    ねじ棒
３８    往復動部材
３９    コマセ収容室
４１    電動モータ
４２    バッテリホルダ
４３    バッテリ
４５    シール材
４６    水中ポンプ
４７    吸い込み口
４８    配管
４９    開放バルブ
５０    リンク機構
５１    支持台
５２    ピン
５３ａ，５３ｂ    駆動リンク
５４    ピン
５５ａ，５５ｂ    従動リンク
５６ａ，５６ｂ    ピン
５７    引っ張りコイルばね
５８    ダッシュポット
【図１】
2006333754.tif 000003
【図２】
2006333754.tif 000004
【図３】
2006333754.tif 000005
【図４】
2006333754.tif 000006
【図５】
2006333754.tif 000007
【図６】
2006333754.tif 000008
【図７】
2006333754.tif 000009
【図８】
2006333754.tif 000010
【図９】
2006333754.tif 000011